(57)【特許請求の範囲】
【請求項１】
台座を含み、前記台座の頂面には本体が固定的に設置され、
前記本体の中には第一中空空間が設置され、前記第一中空空間の頂壁には後方に延在する第一伝動空間が設置され、前記第一中空空間と前記第一伝動空間との間の端壁にはモータが固定的に設置され、前記モータの底端にはブレードが伝動可能に連結され、前記第一中空空間の中には前記ブレードで綿実殻を粉砕する粉砕機構が設置され、
前記第一中空空間の底壁には円柱空間が設置され、前記円柱空間の後壁には第二伝動空間が設置され、前記円柱空間の中には円柱が回転可能に設置され、前記円柱の中には第二中空空間が設置され、前記粉砕機構によって粉砕された綿実殻は前記第二中空空間の中に入ることができ、前記円柱空間の中には前記粉砕機構によって粉砕された綿実殻に加水できる加水機構が設置され、
前記円柱空間の底壁には第一貫通穴が上下貫通になるように設置され、前記台座の中には前記第一貫通穴と連通する上方に開口する搬送空間が設置され、前記搬送空間の中にはビニール袋が設置され、前記搬送空間と前記第一貫通穴との間には加水後の綿実殻を前記ビニール袋に詰める袋詰機構が設置されていることを特徴とする綿実殻に対する袋詰回収機。
【請求項２】
前記粉砕機構は前記本体を含み、前記本体の左面には原料溝が固定的に形成され、利用者は綿実殻を前記原料溝から本願発明に入れることができ、前記第一中空空間と前記原料溝とは第二貫通穴によって連通されていることを特徴とする請求項１に記載の綿実殻に対する袋詰回収機。
【請求項３】
前記モータの底端には第一駆動軸が伝動可能に連結され、前記第一駆動軸の底端には円盤が固定的に設置され、前記円盤には前記ブレードが左右対称になるように固定的に設置され、前記第一中空空間と前記円柱空間とは漏斗によって連通されていることを特徴とする請求項２に記載の綿実殻に対する袋詰回収機。
【請求項４】
前記加水機構は前記第二伝動空間と前記円柱空間との間に回転可能に設置された第一回転軸を含み、前記円柱空間の中にある前記第一回転軸には前記円柱が固定的に設置されていることを特徴とする請求項１に記載の綿実殻に対する袋詰回収機。
【請求項５】
前記第二伝動空間の中にある前記第一回転軸には第一傘歯車が固定的に設置され、前記第二伝動空間と前記第一伝動空間との間には上下方向に延在する第二回転軸が回転可能に設置され、前記第二伝動空間の中にある前記第二回転軸には前記第一傘歯車と噛み合った第二傘歯車が固定的に設置され、前記第一伝動空間の中にある前記第二回転軸には第一プーリが固定的に設置され、前記モータの頂端には第二駆動軸が伝動可能に連結され、前記第二駆動軸と前記第一プーリとは第一ベルトによって伝動可能に連結されていることを特徴とする請求項４に記載の綿実殻に対する袋詰回収機。
【請求項６】
前記第二中空空間の頂壁には前記漏斗と連通する第三貫通穴が上下貫通になるように設置され、前記漏斗にある粉砕された綿実殻は前記第三貫通穴を経て前記第二中空空間に入り、前記第二中空空間の中にある前記第一回転軸には円棒が固定的に設置され、前記第一回転軸の中には前方に開口する第一入水穴が設置され、前記第一入水穴の前端には管路が連通になるように設置され、前記管路には清水があり、前記円棒には前記第一回転軸から離れるように開口する第一摺動空間が上下対称になるように設置され、前記第一摺動空間と前記第一入水穴とは第二入水穴によって連通され、前記第一摺動空間の中には第一スライダが摺動可能に設置され、前記第一スライダと前記第一摺動空間において前記第一回転軸に近接する側の端壁との間には第一ばねが連結され、前記第一スライダの中には前記第二入水穴と連通できる噴水口が設置されていることを特徴とする請求項５に記載の綿実殻に対する袋詰回収機。
【請求項７】
前記本体の左右壁には電磁石が固定的に設置され、前記電磁石と前記第一貫通穴とは摺動溝によって連通され、前記摺動溝の中には弧状面磁石板が摺動可能に設置され、二つの前記弧状面磁石板が互いに接近した後に前記第一貫通穴と前記第三貫通穴とを塞ぐことができ、前記弧状面磁石板と前記電磁石との間には第二ばねが連結されていることを特徴とする請求項１に記載の綿実殻に対する袋詰回収機。
【請求項８】
前記電磁石と前記第一貫通穴とは前記摺動溝の下方に位置する第一摺動穴によって連通され、前記第一摺動穴の中には磁石棒が摺動可能に設置され、前記磁石棒と前記電磁石との間には第三ばねが連結され、前記磁石棒において前記第一貫通穴に近接する側の端面にはバックルが固定的に設置され、前記第一貫通穴の中にある前記磁石棒の底面には連結棒が固定的に設置され、前記連結棒には焼きごてが固定的に設置され、前記ビニール袋は前記バックルと前記焼きごてとの間に挟持されることを特徴とする請求項７に記載の綿実殻に対する袋詰回収機。
【請求項９】
前記搬送空間には第二摺動空間が左右対称にかつ連通になるように設置され、前記第二摺動空間の中には第二スライダが摺動可能に設置され、二つの前記第二スライダの間には第三回転軸が回転可能に設置され、前記第三回転軸には第三プーリが固定的に設置され、前記第三プーリには前記ビニール袋の底面と摩擦で接触する第二ベルトが伝動可能に設置され、前記搬送空間の底壁には第二摺動穴が連通になるように設置され、前記第二摺動穴の中には前記第二ベルトと当接する圧迫ブロックが摺動可能に設置され、前記第二摺動穴の底壁にはスイッチが固定的に設置され、前記スイッチは前記電磁石と前記焼きごてと通電可能に接続され、前記圧迫ブロックと前記スイッチとの間には第四ばねが連結されていることを特徴とする請求項８に記載の綿実殻に対する袋詰回収機。
【発明の詳細な説明】
【技術分野】
【０００１】
本願発明は綿実殻回収分野を取り上げ、特に綿実殻に対する袋詰回収機に関わる。
【背景技術】
【０００２】
周知のように、綿実殻とは綿実から剥げだした殻のことであり、食用菌の培養や、餌として養殖などに汎用されている。しかし、剥げだした綿実殻は一般的に硬いため、集まれるときに手に刺さり、また、回収用のビニール袋を突き破る。さらに、既存する回収用のビニール袋は基本的に人力で詰められ、自動化レベルが低く、機能性が欠け、効率も悪く、綿実殻を回収するときに、綿状物が飛び散り、汚染をもたらし、したがって、上記問題を解決できる綿実殻に対する袋詰回収機を設計する必要がある。
【先行技術文献】
【特許文献】
【０００３】
【特許文献１】中国特許出願公開第１０８１４６０１８号明細書
【発明の概要】
【発明が解決しようとする課題】
【０００４】
綿実殻を回収して袋詰めにし、かつ反応速度が素早く、自動化レベルの高い綿実殻に対する袋詰回収機を提供することを目的とする。
【課題を解決するための手段】
【０００５】
本願発明は以下の技術的解決策で実現される。
【０００６】
本願に記載の綿実殻に対する袋詰回収機は、台座を含み、前記台座の頂面には本体が固定的に設置され、
前記本体の中には第一中空空間が設置され、前記第一中空空間の頂壁には後方に延在する第一伝動空間が設置され、前記第一中空空間と前記第一伝動空間との間の端壁にはモータが固定的に設置され、前記モータの底端にはブレードが伝動可能に連結され、前記第一中空空間の中には前記ブレードで綿実殻を粉砕する粉砕機構が設置され、
前記第一中空空間の底壁には円柱空間が設置され、前記円柱空間の後壁には第二伝動空間が設置され、前記円柱空間の中には円柱が回転可能に設置され、前記円柱の中には第二中空空間が設置され、前記粉砕機構によって粉砕された綿実殻は前記第二中空空間の中に入ることができ、前記円柱空間の中には前記粉砕機構によって粉砕された綿実殻に加水できる加水機構が設置され、
前記円柱空間の底壁には第一貫通穴が上下貫通になるように設置され、前記台座の中には前記第一貫通穴と連通する上方に開口する搬送空間が設置され、前記搬送空間の中にはビニール袋が設置され、前記搬送空間と前記第一貫通穴との間には加水後の綿実殻を前記ビニール袋に詰める袋詰機構が設置されている。
【０００７】
さらに、前記粉砕機構は前記本体を含み、前記本体の左面には原料溝が固定的に形成され、利用者は綿実殻を前記原料溝から本願発明に入れることができ、前記第一中空空間と前記原料溝とは第二貫通穴によって連通されている。
【０００８】
さらに、前記モータの底端には第一駆動軸が伝動可能に連結され、前記第一駆動軸の底端には円盤が固定的に設置され、前記円盤には前記ブレードが左右対称になるように固定的に設置され、前記第一中空空間と前記円柱空間とは漏斗によって連通されている。
【０００９】
さらに、前記加水機構は前記第二伝動空間と前記円柱空間との間に回転可能に設置された第一回転軸を含み、前記円柱空間の中にある前記第一回転軸には前記円柱が固定的に設置されている。
【００１０】
さらに、前記第二伝動空間の中にある前記第一回転軸には第一傘歯車が固定的に設置され、前記第二伝動空間と前記第一伝動空間との間には上下方向に延在する第二回転軸が回転可能に設置され、前記第二伝動空間の中にある前記第二回転軸には前記第一傘歯車と噛み合った第二傘歯車が固定的に設置され、前記第一伝動空間の中にある前記第二回転軸には第一プーリが固定的に設置され、前記モータの頂端には第二駆動軸が伝動可能に連結され、前記第二駆動軸と前記第一プーリとは第一ベルトによって伝動可能に連結されている。
【００１１】
さらに、前記第二中空空間の頂壁には前記漏斗と連通する第三貫通穴が上下貫通になるように設置され、前記漏斗にある粉砕された綿実殻は前記第三貫通穴を経て前記第二中空空間に入り、前記第二中空空間の中にある前記第一回転軸には円棒が固定的に設置され、前記第一回転軸の中には前方に開口する第一入水穴が設置され、前記第一入水穴の前端には管路が連通になるように設置され、前記管路には清水があり、前記円棒には前記第一回転軸から離れるように開口する第一摺動空間が上下対称になるように設置され、前記第一摺動空間と前記第一入水穴とは第二入水穴によって連通され、前記第一摺動空間の中には第一スライダが摺動可能に設置され、前記第一スライダと前記第一摺動空間において前記第一回転軸に近接する側の端壁との間には第一ばねが連結され、前記第一スライダの中には前記第二入水穴と連通できる噴水口が設置されている。
【００１２】
さらに、前記本体の左右壁には電磁石が固定的に設置され、前記電磁石と前記第一貫通穴とは摺動溝によって連通され、前記摺動溝の中には弧状面磁石板が摺動可能に設置され、二つの前記弧状面磁石板が互いに接近した後に前記第一貫通穴と前記第三貫通穴とを塞ぐことができ、前記弧状面磁石板と前記電磁石との間には第二ばねが連結されている。
【００１３】
さらに、前記電磁石と前記第一貫通穴とは前記摺動溝の下方に位置する第一摺動穴によって連通され、前記第一摺動穴の中には磁石棒が摺動可能に設置され、前記磁石棒と前記電磁石との間には第三ばねが連結され、前記磁石棒において前記第一貫通穴に近接する側の端面にはバックルが固定的に設置され、前記第一貫通穴の中にある前記磁石棒の底面には連結棒が固定的に設置され、前記連結棒には焼きごてが固定的に設置され、前記ビニール袋は前記バックルと前記焼きごてとの間に挟持される。
【００１４】
さらに、前記搬送空間には第二摺動空間が左右対称にかつ連通になるように設置され、前記第二摺動空間の中には第二スライダが摺動可能に設置され、二つの前記第二スライダの間には第三回転軸が回転可能に設置され、前記第三回転軸には第三プーリが固定的に設置され、前記第三プーリには前記ビニール袋の底面と摩擦で接触する第二ベルトが伝動可能に設置され、前記搬送空間の底壁には第二摺動穴が連通になるように設置され、前記第二摺動穴の中には前記第二ベルトと当接する圧迫ブロックが摺動可能に設置され、前記第二摺動穴の底壁にはスイッチが固定的に設置され、前記スイッチは前記電磁石と前記焼きごてと通電可能に接続され、前記圧迫ブロックと前記スイッチとの間には第四ばねが連結されている。
【発明の効果】
【００１５】
本発明は以下のプラス効果を有する：本願発明は綿実殻を回収して袋詰めにし、自動化レベルが高く、反応速度も素早く、同時に、本願発明は綿実殻を粉砕できるため、後続作業において綿実殻は十分に水分を吸収でき、且つ綿実殻を回収して袋詰めにする時、ビニール袋は突き破られにくく、また、本願発明はモータの回転速度を制御することで、綿実殻に対する加水量を調整でき、機能が万全で、定量かつ均等に綿実殻に清水を入れられ、綿実殻は十分に吸水できる。
【図面の簡単な説明】
【００１６】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の実施例の構成略図
【図２】図２は図１におけるＡ―Ａの構成略図
【図３】図３は図１におけるＢの拡大構成略図
【図４】図４は図２におけるＣの拡大構成略図
【発明を実施するための形態】
【００１８】
図１    〜図４を合わせ、本願に記載の綿実殻に対する袋詰回収機は、台座２６を含み、前記台座２６の頂面には本体１０が固定的に設置され、
前記本体１０の中には第一中空空間１３が設置され、前記第一中空空間１３の頂壁には後方に延在する第一伝動空間３９が設置され、前記第一中空空間１３と前記第一伝動空間３９との間の端壁にはモータ３５が固定的に設置され、前記モータ３５の底端にはブレード１５が伝動可能に連結され、前記第一中空空間１３の中には前記ブレード１５で綿実殻を粉砕する粉砕機構９０が設置され、
前記第一中空空間１３の底壁には円柱空間３４が設置され、前記円柱空間３４の後壁には第二伝動空間４２が設置され、前記円柱空間３４の中には円柱１８が回転可能に設置され、前記円柱１８の中には第二中空空間１９が設置され、前記粉砕機構９０によって粉砕された綿実殻は前記第二中空空間１９の中に入ることができ、前記円柱空間３４の中には前記粉砕機構９０によって粉砕された綿実殻に加水できる加水機構９１が設置され、
前記円柱空間３４の底壁には第一貫通穴３０が上下貫通になるように設置され、前記台座２６の中には前記第一貫通穴３０と連通する上方に開口する搬送空間２９が設置され、前記搬送空間２９の中にはビニール袋５１が設置され、前記搬送空間２９と前記第一貫通穴３０との間には加水後の綿実殻を前記ビニール袋５１に詰める袋詰機構９２が設置されている。
【００１９】
前記粉砕機構９０は前記本体１０を含み、前記本体１０の左面には原料溝１１が固定的に形成され、利用者は綿実殻を前記原料溝１１から本願発明に入れることができ、前記第一中空空間１３と前記原料溝１１とは第二貫通穴１２によって連通されている。  
【００２０】
前記モータ３５の底端には第一駆動軸１４が伝動可能に連結され、前記第一駆動軸１４の底端には円盤１６が固定的に設置され、前記円盤１６には前記ブレード１５が左右対称になるように固定的に設置され、前記第一中空空間１３と前記円柱空間３４とは漏斗１７によって連通され、
前記モータ３５が作動することで、前記第一駆動軸１４を駆動して回転させ、そして前記円盤１６と前記ブレード１５とは前記第一駆動軸１４に駆動されて回転し、前記原料溝１１に入れた綿実殻は前記第二貫通穴１２を経て前記第一中空空間１３に入り、さらに重力によって回転している前記ブレード１５と接触し、ここで綿実殻は粉砕され、そして重力によって前記漏斗１７に落下して収集される。
【００２１】
前記加水機構９１は前記第二伝動空間４２と前記円柱空間３４との間に回転可能に設置された第一回転軸４５を含み、前記円柱空間３４の中にある前記第一回転軸４５には前記円柱１８が固定的に設置されている。
【００２２】
前記第二伝動空間４２の中にある前記第一回転軸４５には第一傘歯車４４が固定的に設置され、前記第二伝動空間４２と前記第一伝動空間３９との間には上下方向に延在する第二回転軸４１が回転可能に設置され、前記第二伝動空間４２の中にある前記第二回転軸４１には前記第一傘歯車４４と噛み合った第二傘歯車４３が固定的に設置され、前記第一伝動空間３９の中にある前記第二回転軸４１には第一プーリ４０が固定的に設置され、前記モータ３５の頂端には第二駆動軸３６が伝動可能に連結され、前記第二駆動軸３６と前記第一プーリ４０とは第一ベルト３８によって伝動可能に連結されている。
【００２３】
前記第二中空空間１９の頂壁には前記漏斗１７と連通する第三貫通穴６５が上下貫通になるように設置され、前記漏斗１７にある粉砕された綿実殻は前記第三貫通穴６５を経て前記第二中空空間１９に入り、前記第二中空空間１９の中にある前記第一回転軸４５には円棒２０が固定的に設置され、前記第一回転軸４５の中には前方に開口する第一入水穴４７が設置され、前記第一入水穴４７の前端には管路４６が連通になるように設置され、前記管路４６には清水があり、前記円棒２０には前記第一回転軸４５から離れるように開口する第一摺動空間６２が上下対称になるように設置され、前記第一摺動空間６２と前記第一入水穴４７とは第二入水穴６４によって連通され、前記第一摺動空間６２の中には第一スライダ６０が摺動可能に設置され、前記第一スライダ６０と前記第一摺動空間６２において前記第一回転軸４５に近接する側の端壁との間には第一ばね６３が連結され、前記第一スライダ６０の中には前記第二入水穴６４と連通できる噴水口６１が設置され、
前記モータ３５が作動することで、前記第二駆動軸３６を駆動して回転させ、そして第二プーリ３７は前記第二駆動軸３６に駆動されて回転し、前記第一ベルト３８を通じて前記第一プーリ４０を駆動して回転させ、前記第二傘歯車４３は前記第一プーリ４０に駆動されて回転し、前記第一傘歯車４４を駆動して回転させ、前記円柱１８と前記円棒２０とは前記第一傘歯車４４に駆動されて前記円柱空間３４の中で回転し、前記円柱１８が回転する時、三百六十五度回転する度に、前記漏斗１７と前記第三貫通穴６５とを一回連通させ、即ち前記円柱１８は三百六十五度回転する度に、粉砕された一定量の綿実殻を前記第二中空空間１９に入れることができ、また、前記円棒２０が回転して前記第一スライダ６０を駆動して回転させ、前記第一スライダ６０は遠心力によって段々前記第一回転軸４５から離れ、前記噴水口６１と前記第二入水穴６４とを連通させ、ここで前記管路４６にある清水は前記第一入水穴４７と、前記第二入水穴６４と、前記噴水口６１とを経由して前記第二中空空間１９に均一に吹きかけ、さらに、前記円棒２０の回転速度が速くなれば速いほど、前記第一スライダ６０は前記第一回転軸４５から離れるようになり、前記噴水口６１と前記第二入水穴６４との連通部も大きくなり、即ち前記噴水口６１から吹き出した清水も多くなり、したがって、本願発明は前記モータ３５の回転速度を制御することで綿実殻に対する加水量を調整できる。
【００２４】
前記本体１０の左右壁には電磁石２２が固定的に設置され、前記電磁石２２と前記第一貫通穴３０とは摺動溝３１によって連通され、前記摺動溝３１の中には弧状面磁石板３３が摺動可能に設置され、二つの前記弧状面磁石板３３が互いに接近した後に前記第一貫通穴３０と前記第三貫通穴６５とを塞ぐことができ、前記弧状面磁石板３３と前記電磁石２２との間には第二ばね３２が連結されている。
【００２５】
前記電磁石２２と前記第一貫通穴３０とは前記摺動溝３１の下方に位置する第一摺動穴２４によって連通され、前記第一摺動穴２４の中には磁石棒２５が摺動可能に設置され、前記磁石棒２５と前記電磁石２２との間には第三ばね２３が連結され、前記磁石棒２５において前記第一貫通穴３０に近接する側の端面にはバックル４８が固定的に設置され、前記第一貫通穴３０の中にある前記磁石棒２５の底面には連結棒４９が固定的に設置され、前記連結棒４９には焼きごて５０が固定的に設置され、前記ビニール袋５１は前記バックル４８と前記焼きごて５０との間に挟持される。
【００２６】
前記搬送空間２９には第二摺動空間２７が左右対称にかつ連通になるように設置され、前記第二摺動空間２７の中には第二スライダ２８が摺動可能に設置され、二つの前記第二スライダ２８の間には第三回転軸５４が回転可能に設置され、前記第三回転軸５４には第三プーリ５３が固定的に設置され、前記第三プーリ５３には前記ビニール袋５１の底面と摩擦で接触する第二ベルト５２が伝動可能に設置され、前記搬送空間２９の底壁には第二摺動穴５７が連通になるように設置され、前記第二摺動穴５７の中には前記第二ベルト５２と当接する圧迫ブロック５８が摺動可能に設置され、前記第二摺動穴５７の底壁にはスイッチ５５が固定的に設置され、前記スイッチ５５は前記電磁石２２と前記焼きごて５０と通電可能に接続され、前記圧迫ブロック５８と前記スイッチ５５との間には第四ばね５６が連結され、
前記第二中空空間１９にある粉砕された綿実殻に清水を入れた後に、利用者は前記電磁石２２を通電し、ここで前記電磁石２２は前記弧状面磁石板３３と前記磁石棒２５とを吸引し、二つの前記弧状面磁石板３３とが離れ、この時、前記弧状面磁石板３３は前記第一貫通穴３０と前記第三貫通穴６５を塞がなくなり、即ち前記円柱１８が回転して前記第三貫通穴６５と前記第一貫通穴３０とを連通した後に、加水後の綿実殻は重力によって前記第一貫通穴３０に落下し、また、二つの前記磁石棒２５は互いに離れ、二つの前記バックル４８を駆動して離れさせ、二つの前記焼きごて５０も互いに離れ、即ち前記ビニール袋５１は引かれて開けられ、そして加水後の綿実殻は重力によって前記ビニール袋５１に落下し、前記ビニール袋５１に加水後の綿実殻をどんどん詰め、前記ビニール袋５１が段々重くなった時、前記第二ベルト５２と前記第三プーリ５３とは圧迫され、また、前記ビニール袋５１が一定の重さになる時、前記第三プーリ５３は前記圧迫ブロック５８を圧迫し、前記圧迫ブロック５８はそして降下して前記スイッチ５５を押し、前記スイッチ５５は押されて前記電磁石２２を停電し、同時に前記焼きごて５０を通電して放熱させ、そして前記磁石棒２５は第三ばね２３によって初期位置に戻り、即ち二つの前記磁石棒２５は互いに接近し、二つの前記焼きごて５０を駆動して互いに接近させ、ここで放熱している二つの前記焼きごて５０は前記ビニール袋５１の開口部を密封し、そして本願発明は前記第二ベルト５２を通じて前記ビニール袋５１を前記搬送空間２９から運び出す。
【００２７】
本願発明の作動手順は以下の通りである。
【００２８】
１、まず、利用者は前記ビニール袋５１を前記バックル４８と前記焼きごて５０との間に挟み、そして前記モータ３５を通電して作動させる。
【００２９】
２、前記モータ３５が作動することで、前記第一駆動軸１４を駆動して回転させ、そして前記円盤１６と前記ブレード１５とは前記第一駆動軸１４に駆動されて回転し、前記原料溝１１に入れた綿実殻は前記第二貫通穴１２を経て前記第一中空空間１３に入り、さらに重力によって回転している前記ブレード１５と接触し、ここで綿実殻は粉砕され、そして重力によって前記漏斗１７に落下して収集され、本願発明は綿実殻を粉砕できるため、後続作業において綿実殻は十分に水分を吸収でき、且つ綿実殻を回収して袋詰めにする時、前記ビニール袋５１は突き破られにくく、安全で頼もしい。
【００３０】
３、前記モータ３５が作動することで、前記第二駆動軸３６を駆動して回転させ、そして前記第二プーリ３７は前記第二駆動軸３６に駆動されて回転し、前記第一ベルト３８を通じて前記第一プーリ４０を駆動して回転させ、前記第二傘歯車４３は前記第一プーリ４０に駆動されて回転し、前記第一傘歯車４４を駆動して回転させ、前記円柱１８と前記円棒２０とは前記第一傘歯車４４に駆動されて前記円柱空間３４の中で回転し、前記円柱１８が回転する時、三百六十五度回転する度に、前記漏斗１７と前記第三貫通穴６５とを一回連通させ、即ち前記円柱１８は三百六十五度回転する度に、粉砕された一定量の綿実殻を前記第二中空空間１９に入れることができる。
【００３１】
４、また、前記円棒２０が回転して前記第一スライダ６０を駆動して回転させ、前記第一スライダ６０は遠心力によって段々前記第一回転軸４５から離れ、前記噴水口６１と前記第二入水穴６４とを連通させ、ここで前記管路４６にある清水は前記第一入水穴４７と、前記第二入水穴６４と、前記噴水口６１とを経由して前記第二中空空間１９に均一に吹きかけ、さらに、前記円棒２０の回転速度が速くなれば速いほど、前記第一スライダ６０は前記第一回転軸４５から離れるようになり、前記噴水口６１と前記第二入水穴６４との連通部も大きくなり、即ち前記噴水口６１から吹き出した清水も多くなり、したがって、本願発明は前記モータ３５の回転速度を制御することで綿実殻に対する加水量を調整でき、本願発明は機能が万全で、定量かつ均等に綿実殻に清水を入れられ、綿実殻は十分に吸水できる。
【００３２】
５、前記第二中空空間１９にある粉砕された綿実殻に清水を入れた後に、利用者は前記電磁石２２を通電し、ここで前記電磁石２２は前記弧状面磁石板３３と前記磁石棒２５とを吸引し、二つの前記弧状面磁石板３３とが離れ、この時、前記弧状面磁石板３３は前記第一貫通穴３０と前記第三貫通穴６５を塞がなくなり、即ち前記円柱１８が回転して前記第三貫通穴６５と前記第一貫通穴３０とを連通した後に、加水後の綿実殻は重力によって前記第一貫通穴３０に落下する。
【００３３】
６、また、二つの前記磁石棒２５は互いに離れ、二つの前記バックル４８を駆動して離れさせ、二つの前記焼きごて５０も離れ、即ち前記ビニール袋５１は引かれて開けられ、そして加水後の綿実殻は重力によって前記ビニール袋５１に落下し、前記ビニール袋５１に加水後の綿実殻をどんどん詰め、前記ビニール袋５１が段々重くなった時、前記第二ベルト５２と前記第三プーリ５３とは圧迫される。
【００３４】
７、前記ビニール袋５１が一定の重さになる時、前記第三プーリ５３は前記圧迫ブロック５８を圧迫し、前記圧迫ブロック５８はそして降下して前記スイッチ５５を押し、前記スイッチ５５は押されて前記電磁石２２を停電し、同時に前記焼きごて５０を通電して放熱させ、そして前記磁石棒２５は第三ばね２３によって初期位置に戻り、即ち二つの前記磁石棒２５は互いに接近し、二つの前記焼きごて５０を駆動して互いに接近させ、ここで放熱している二つの前記焼きごて５０は前記ビニール袋５１の開口部を密封し、そして本願発明は前記第二ベルト５２を通じて前記ビニール袋５１を前記搬送空間２９から運び出し、本願発明は自動化レベルが高く、反応速度も素早い。
【００３５】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】
【課題】本願は綿実殻に対する袋詰回収機を開示した。
【解決手段】
本願は綿実殻に対する袋詰回収機を開示し、台座を含み、前記台座の頂面には本体が固定的に設置され、前記本体の中には第一中空空間が設置され、前記第一中空空間の頂壁には後方に延在する第一伝動空間が設置され、前記第一中空空間と前記第一伝動空間との間の端壁にはモータが固定的に設置され、前記モータの底端にはブレードが伝動可能に連結され、前記第一中空空間の中には前記ブレードで綿実殻を粉砕する粉砕機構が設置され、本願発明は綿実殻を回収して袋詰めにし、自動化レベルが高く、反応速度も素早く、同時に、本願発明は綿実殻を粉砕できるため、後続作業において綿実殻は十分に水分を吸収でき、且つ綿実殻を回収して袋詰めにする時、ビニール袋は突き破られにくい。
【選択図】図１【図１】
0006810857.tif 000002
【図２】
0006810857.tif 000003
【図３】
0006810857.tif 000004
【図４】
0006810857.tif 000005